(57)【特許請求の範囲】
【請求項１】
矩形状の床パネルと、この床パネルの四隅に立設された長寸の１本の柱及び短寸の３本の柱と、前記長寸の柱の高さに合わせた矩形状の天井パネルとを有し、前記天井パネルが床パネルより面積が小であって、前記天井パネルを含んで居室部が設けられ、この居室部の前記短寸の柱に沿った周囲が空間部となっている建物ユニットを備え、
この建物ユニットは、寄棟屋根の棟の下方において小屋裏を構成し、
前記建物ユニットの前記空間部は、上方が前記寄棟屋根の屋根面に開放されたバルコニー空間部となっていることを特徴とするユニット式建物。
【請求項２】
請求項１に記載のユニット式建物において、
前記天井パネルは、四角に組まれた長辺天井梁と短辺天井梁を有し、前記長寸の柱を挟む長辺天井梁と短辺天井梁は、それぞれ傾斜梁を介して前記短寸の柱と連結されていることを特徴とするユニット式建物。
【請求項３】
請求項１又は２に記載のユニット式建物において、
前記天井パネルの前記長寸の柱の対角に位置する角部は、傾斜梁を介して前記短寸の柱と連結されていることを特徴とするユニット式建物。
【請求項４】
請求項１又は２に記載のユニット式建物において、
前記短寸の３本の柱間に梁が掛け渡され、前記天井パネルの前記長寸の柱の対角に位置する角部は、傾斜梁を介して前記梁と連結されていることを特徴とするユニット式建物。
【発明の詳細な説明】
【０００１】
【発明の属する技術分野】
本発明は、ユニット式建物に関する。
【０００２】
【背景技術】
工場で建物を構成する居室等を建物ユニットとして作製しておき、現場にこれらの建物ユニットを運んで建築するようにしたユニット式建物が施工されている。
このようなユニット式建物の屋根は、現場で屋根パネルを組み合わせて造ったり、工場作製の屋根ユニットを設置したりして施工されている。
一方、このようなユニット式建物において、居室空間を拡げるため、小屋裏居室を設けることも行われている。
【０００３】
【発明が解決しようとする課題】
前記屋根ユニットが設置されたユニット式建物の場合、この屋根ユニット内に居室を作製しておけば、小屋裏居室が得られることになる。
しかし、このような小屋裏居室の場合、窓程度の開口は形成されていても、その大きさが小さく、採光や通風に充分な大きさではなかった。
【０００４】
そこで、本発明は、例えば屋根の小屋裏として設置した場合に充分な採光や通風を確保することができるユニット式建物を提供することを目的とする。
【０００５】
【課題を解決するための手段】
図面を参照して説明すると、本発明の第１発明に係るユニット式建物12は、矩形状の床パネル17と、この床パネル17の四隅に立設された長寸の１本の柱18及び短寸の３本の柱19と、前記長寸の柱18の高さに合わせた矩形状の天井パネル21とを有し、前記天井パネル21が床パネル17より面積が小であって、前記天井パネル21を含んで居室部15が設けられ、この居室部15の前記短寸の柱19に沿った周囲が空間部16となっている建物ユニット11を備え、この建物ユニット11は寄棟屋根14の棟の下方において小屋裏を構成し、前記建物ユニット11の前記空間部16は、上方が前記寄棟屋根14の屋根面に開放されたバルコニー空間部となっていることを特徴とする。
【０００６】
前記空間部は、短寸の例えば３本の柱に沿った周囲がＬ字形の空間部となっている。この空間部は、外部に開放されている。
この空間部を通して、居室部に外部からの採光や通風を確保することができるようになる。
従って、前記天井パネルと床パネルとの面積の大小は、Ｌ字形の空間部によって充分な採光や通風ができるように選べばよい。
なお、長寸の柱と短寸の柱の具体的な高さ関係は、屋根の所望の傾斜角度の他、高さ制限や斜線制限等によって決められる場合がある。
また、前記建物ユニットを小屋裏とすることにより、屋根内に居室空間が得られることになる。
さらに、居室部の前面にバルコニーが得られることになる。
そして、屋根形状を前記寄棟屋根とすることにより、建物ユニットを屋根形状に沿って配置することができる。
【０００７】
本発明の第２発明に係るユニット式建物12は、第１発明において、前記天井パネル21は、四角に組まれた長辺天井梁26と短辺天井梁27を有し、前記長寸の柱18を挟む長辺天井梁26と短辺天井梁27は、それぞれ傾斜梁29を介して前記短寸の柱19と連結されていることを特徴とする。
前記傾斜梁及び短寸の柱によって、天井パネルが前記長寸の柱と共に、床パネルに対して支持されることになる。
【０００８】
図５に示すように、本発明の第３発明に係るユニット式建物12は、第１又は第２発明において、前記天井パネル21の前記長寸の柱18の対角に位置する角部は、傾斜梁41を介して前記短寸の柱19と連結されていることを特徴とする。
前記傾斜梁及び短寸の柱によって、天井パネルの強固な支持構造が得られるようになる。
【０００９】
図６に示すように、本発明の第４発明に係るユニット式建物12は、第１又は第２発明において、前記短寸の３本の柱19間に梁31が掛け渡され、前記天井パネル21の前記長寸の柱18の対角に位置する角部は、傾斜梁42を介して前記梁31と連結されていることを特徴とする。
前記梁を介した傾斜梁及び短寸の柱によって、天井パネルの強固な支持構造が得られるようになる。
【００１３】
【発明の実施の形態】
［第１実施形態］
図１〜３を参照して本発明の第１実施形態に係る小屋裏用建物ユニット11及びこれを含むユニット式建物12を説明する。
図１に示すように、このユニット式建物12は、基礎上に載置された複数の建物ユニット20よりなる建物本体13と、この建物本体13上に設けられた寄棟屋根14とを有して構成されている。
前記寄棟屋根14は、その少なくとも一部分に本実施形態の小屋裏用建物ユニット11が設置されている。その他の部分については、同様に小屋裏用の建物ユニットを設けてもよく、又は小屋裏を構成しない屋根ユニットとしてもよい。なお、寄棟屋根の小屋裏用建物ユニット11以外の部分については、屋根ユニットではなく、屋根パネルで構成してもよい。
【００１４】
図２に示すように、前記小屋裏用建物ユニット11は、居室部15と、この居室部15のＬ字形の側面部に沿って形成されたＬ字形の空間部16とを有している。
図３に示すように、前記小屋裏用建物ユニット11は、矩形状の床パネル17と、この床パネル17の四隅に立設された長寸の１本の柱18及び短寸の３本の柱19と、前記長寸の柱18の高さに合わせた矩形状の天井パネル21とを備えている。
この天井パネル21は、床パネル17と相似形で、床パネル17より面積が小である。また、天井パネル21の前記長寸の柱18の対角に位置する角部には、長寸の柱18と同じ高さの柱22が設けられている。
【００１５】
前記床パネル17は、四角に組まれた長辺床梁23と短辺床梁24を有し、対向する長辺床梁間には複数の根太25が掛け渡されている。また、床パネル17の上面側には図示しない床面材が張られている。
一方、前記天井パネル21は、四角に組まれた長辺天井梁26と短辺天井梁27を有し、対向する長辺天井梁26間には複数の小梁28が掛け渡されている。また、天井パネル21の下面側には図示しない天井面材が張られている。そして、前記長寸の柱18を挟む長辺天井梁26の端部と短辺天井梁27の端部は、それぞれ傾斜梁29を介して前記短寸の柱19の上端部と連結されている。
前記短寸の３本の柱19の上部間には、長辺梁31と短辺梁32が掛け渡されている。
【００１６】
前記居室部15は前記天井パネル21を含んだものであり、側面側に壁材33が設けられている。各側面の壁には、窓34が設けられている。
前記床パネル17上の短寸の３本の柱19に沿ってＬ字形に壁材35が配置されている。また、このＬ字形の壁材35の各端部と前記居室部15の間にも壁材36が設けられている。そして、これらの壁材33,35と居室部15との間がＬ字形のバルコニー空間部16となっている。
【００１７】
本実施形態に係るユニット式建物12は、次のようにして建てることができる。
先ず、工場において、建物本体13を構成する建物ユニット20と共に、小屋裏用建物ユニット11を作製しておく。
図１に示すように、現場にこれらの建物ユニット11,20を輸送し、基礎上に複数の建物ユニット20を載置して建物本体13を造った後、この建物本体13上に寄棟屋根14の一部を構成するように小屋裏となる建物ユニット11を設置する。
寄棟屋根14のその他の部分については、屋根ユニット又は屋根パネルで屋根を構成する。
【００１８】
上記ユニット式建物12によれば、前記建物ユニット11により寄棟屋根14内に小屋裏を確保することができる。
また、前記小屋裏用建物ユニット11によれば、Ｌ字形の空間部16を通して、居室部15内に外部からの採光や通風を確保することができる。
また、前記空間部16は、バルコニーとなっているため、居室部15の窓34から人がこのバルコニー空間部16に出ることができる。
更に、天井パネル21は、前記傾斜梁29及び短寸の柱19によって前記長寸の柱18と共に支持されているため、強固な支持構造となっている。
【００１９】
［第２実施形態］
第１実施形態の小屋裏用建物ユニット11においては、天井パネル21の前記長寸の柱18の対角に位置する角部には、柱22が設けられていたが、図４に示すように、本実施形態の建物ユニットの場合、この柱が設けられていないものである。
【００２０】
［第３実施形態］
図５に示すように、本実施形態の小屋裏用建物ユニット11においては、天井パネル21の前記長寸の柱18の対角に位置する角部には柱がなく、傾斜梁41を介して前記短寸の柱19と連結されている。
【００２１】
［第４実施形態］
図６に示すように、本実施形態の小屋裏用建物ユニット11においては、天井パネル21の前記長寸の柱19の対角に位置する角部には柱がなく、前記天井パネルの前記長寸の柱19の対角に位置する角部は、傾斜梁42を介して前記長辺梁31と連結されている。
この傾斜梁42と連結されている部分の長辺梁31と、床パネル17の長辺床梁23との間には、間柱37が設けられている。
この小屋裏用建物ユニット11の場合、居室部15が長辺梁31の部分に及んで設けられている。
また、バルコニー空間部16は、この居室部15の短辺梁32側の前面に設けられている。
【００２２】
［第５実施形態］
図７に示すように、第５実施形態では、前記天井パネル21の前記長寸の柱18の対角に位置する角部は、傾斜梁43を介して前記短辺梁32と連結されている。
この傾斜梁43と連結されている部分の短辺梁32と、床パネル17の短辺床梁24との間には、間柱39が設けられている。
この小屋裏用建物ユニット11の場合、居室部15が短辺梁32の部分に及んで設けられている。
また、バルコニー空間部16は、この居室部15の長辺梁31側の前面に設けられている。
【００２３】
【発明の効果】
本発明によれば、例えば屋根の小屋裏として設置した場合に充分な採光や通風を確保することができる建物ユニットを含んで寄棟屋根が構成されたユニット式建物が得られる。
【図面の簡単な説明】
【図１】本発明の第１実施形態に係るユニット式建物の斜視図である。
【図２】第１実施形態に係る建物ユニットの斜視図である。
【図３】第１実施形態に係る建物ユニットの骨組みの斜視図である。
【図４】第２実施形態に係る建物ユニットの骨組みの斜視図である。
【図５】第３実施形態に係る建物ユニットの骨組みの斜視図である。
【図６】第４実施形態に係る建物ユニットの骨組みの斜視図である。
【図７】第５実施形態に係る建物ユニットの骨組みの斜視図である。
【符号の説明】
11  小屋裏用建物ユニット
12  ユニット式建物
14  屋根である寄棟屋根
15  居室部
16  空間部
17  床パネル
18  長寸の柱
19  短寸の柱
20  建物ユニット
21  天井パネル
22  角部の柱
23  長辺床梁
24  短辺床梁
26  長辺天井梁
27  短辺天井梁
29,41,42,43  傾斜梁
31  長辺梁
32  短辺梁
【図１】
0003924053.tif 000002
【図２】
0003924053.tif 000003
【図３】
0003924053.tif 000004
【図４】
0003924053.tif 000005
【図５】
0003924053.tif 000006
【図６】
0003924053.tif 000007
【図７】
0003924053.tif 000008